(57)【要約】【課題】確実に外部局との通信を行い外部局から送信されるリモート信号が受信することができる車両通信システムを提供すること。【解決手段】車両１０に搭載される制御装置１１は、電話装置１８による通信が可能であるか否かを確認し、電話装置１８での通信が可能であると判定した場合は電話装置１８にて外部局から送信されるリモート信号を受信し、電話装置１８での通信が可能でないと判定した場合は車車間通信装置１９にて外部局から送信されるリモート信号を受信し（Ｓ４０〜４３）、受信したリモート信号に含まれるＩＤコードがメモリ１１ａに記憶されたＩＤコードと一致するか否かを判断し、ＩＤコードが一致していなければ処理を終了し、一致していればリモート信号に応じた制御を実施すると共に、車両情報を作成して、電話装置１８もしくは車車間通信装置１９にて車両情報を送信する。【選択図】図６
2008037414.tif 000002
【特許請求の範囲】
【請求項１】
通信基幹施設を介して、通信装置を備える外部局と通信可能な第１の通信装置と、
複数の車両間で直接通信可能な第２の通信装置と、
自車両を特定するＩＤコードを記憶するＩＤコード記憶手段と、
前記第１の通信装置及び前記第２の通信装置の通信制御を実行する通信制御手段とを備え、
前記通信制御手段は、前記第１の通信装置による通信が可能か否かを確認し、前記第１の通信装置が通信可能である場合は前記第１の通信装置にて前記外部局から送信される前記ＩＤコードを含む遠隔操作信号を受信し、前記第１の通信装置が通信可能でない場合は前記第２の通信装置にて前記遠隔操作信号を受信することを特徴とする車両通信システム。
【請求項２】
自車両の車両情報の送信を指示する指示手段を備え、前記通信制御手段は、前記指示手段による指示があった場合に、前記第１の通信装置による通信が可能か否かを確認し、前記第１の通信装置が通信可能である場合は当該第１の通信装置で前記自車両の車両情報を送信し、前記第１の通信装置が通信可能でない場合は前記第２の通信装置にて前記自車両の車両情報を送信することを特徴とする請求項１に記載の車両通信システム。
【請求項３】
前記通信制御手段は、前記第２の通信装置にて他車両の車両情報を受信した場合に、前記第１の通信装置による通信が可能か否かを確認し、前記第１の通信装置が通信可能である場合は当該第１の通信装置で前記他車両の車両情報を送信し、前記第１の通信装置が通信可能でない場合は前記第２の通信装置にて前記他車両の車両情報を送信することを特徴とする請求項１又は請求項２に記載の車両通信システム。
【請求項４】
前記通信制御手段は、前記遠隔操作信号を受信した場合に、前記第１の通信装置による通信が可能か否かを確認し、前記第１の通信装置が通信可能である場合は当該第１の通信装置で自車両の車両情報を送信し、前記第１の通信装置が通信可能でない場合は前記第２の通信装置にて自車両の車両情報を送信することを特徴とする請求項１乃至請求項３のいずれかに記載の車両通信システム。
【請求項５】
自車両の異常を検出する異常検出装置を備え、前記指示手段は、前記異常検出装置にて前記自車両の異常が検出された場合に前記自車両の車両情報の送信を指示し、前記通信制御手段は、前記自車両の車両情報に前記異常検出装置の検出内容を加えて送信することを特徴とする請求項２に記載の車両通信システム。
【請求項６】
前記異常検出装置は、前記自車両の盗難を検出する盗難検出装置であることを特徴とする請求項５に記載の車両通信システム。
【請求項７】
前記遠隔操作信号は、前記車両における動力装置の駆動禁止、駆動許可を制御する信号であることを特徴とする請求項１に記載の車両通信システム。
【請求項８】
前記複数の車両の各々は、自車両の現在位置を検出する自車位置センサ、少なくとも自車両の周辺を撮影するカメラ、現在時刻を計時する時計の少なくとも一つを備え、前記通信制御手段は、前記ＩＤコードに加えて、前記自車位置センサによって検出された現在位置、前記カメラによって撮影された画像情報、前記時計によって計時された現在時刻の少なくとも一つを含む車両情報を送信することを特徴とする請求項１乃至請求項７のいずれかに記載の車両通信システム。
【請求項９】
前記車両情報は自車両の現在位置情報と前記ＩＤコードとを含み、前記通信制御装置は所定タイミング毎に前記車両情報を前記第１の通信装置にて送信することを特徴とする請求項８に記載の車両通信システム。
【請求項１０】
前記外部局は、前記遠隔操作信号を対象車両に対して送信した後に、該対象車両から送信される車両情報を受信できなかった場合、前記遠隔操作信号を対象車両とは異なる他車両に対して送信することを特徴とする請求項４に記載の車両通信システム。
【請求項１１】
前記外部局は、前記車両のユーザーからの通報があった場合に、前記遠隔操作信号を送信することを特徴とする請求項１０に記載の車両通信システム。
【請求項１２】
前記外部局は、前記遠隔操作信号を対象車両に対して送信した後に、該対象車両から送信される車両情報を受信できなかった場合、前記対象車両が過去に送信してきた現在位置情報の履歴に基づいて前記遠隔制御信号を送信すべき前記他車両を特定し、前記遠隔操作信号を対象車両とは異なる他車両に対して送信することを特徴とする請求項９に記載の車両通信システム。
【発明の詳細な説明】
【技術分野】
【０００１】
本発明は、車両と外部局との間で通信を行う車両通信システムに関するものである。
【背景技術】
【０００２】
従来、車両通信システムとして特許文献１に示すものがあった。特許文献１に示す車両通信システムは、車両が盗難され、電話等を介して外部局に盗難の連絡があった場合には、外部局は、盗難車両のエンジンの始動を禁止するリモート信号を車両に送信する。そして、盗難された車両に搭載されている通信装置がリモート信号を受信するとエンジンが始動できないようになっている。
【特許文献１】特開２００３−１４６１８５号公報
【発明の開示】
【発明が解決しようとする課題】
【０００３】
ところが、特許文献１に示す車両通信システムにおいては、通信装置が故障した場合、外部局から送信されるリモート信号が受信できなくなるという問題がある。
【０００４】
また、通常、特許文献１に示す車両通信システムのような車両と外部局との通信は、電話網を用いて行われる場合が多い。したがって、特許文献１に示す車両通信システムにおいては、車両が電話の通信圏外だった場合にも、外部局から送信されるリモート信号が受信できなくなるという問題がある。
【０００５】
本発明は、上記問題点に鑑みなされたものであり、確実に外部局との通信を行い外部局から送信されるリモート信号が受信することができる車両通信システムを提供することを目的とする。
【課題を解決するための手段】
【０００６】
上記目的を達成するために請求項１に記載の車両通信システムは、通信基幹施設を介して、通信装置を備える外部局と通信可能な第１の通信装置と、複数の車両間で直接通信可能な第２の通信装置と、自車両を特定するＩＤコードを記憶するＩＤコード記憶手段と、前記第１の通信装置及び前記第２の通信装置の通信制御を実行する通信制御手段とを備え、前記通信制御手段は、前記第１の通信装置による通信が可能か否かを確認し、第１の通信装置が通信可能である場合は第１の通信装置にて外部局から送信されるＩＤコードを含む遠隔操作信号を受信し、第１の通信装置が通信可能でない場合は第２の通信装置にて遠隔操作信号を受信することを特徴とするものである。
【０００７】
このようにすることによって、自車両の第１の通信装置が通信可能でない場合であっても、第２の通信装置で周辺の車両を介して、遠隔操作信号を受信することができるので、確実に外部局との通信を行うことができる。
【０００８】
また、請求項２に記載のように、自車両の車両情報の送信を指示する指示手段を備え、前記通信制御手段は、前記指示手段による指示があった場合に、前記第１の通信装置による通信が可能か否かを確認し、前記第１の通信装置が通信可能である場合は当該第１の通信装置で前記自車両の車両情報を送信し、前記第１の通信装置が通信可能でない場合は前記第２の通信装置にて前記自車両の車両情報を送信するようにしてもよい。このようにすることによって、指示があった場合のみ自車両の車両情報を送信するようにすることができる。
【０００９】
また、請求項３に記載のように、前記通信制御手段は、前記第２の通信装置にて他車両の車両情報を受信した場合に、第１の通信装置による通信が可能か否かを確認し、第１の通信装置が通信可能である場合は第１の通信装置で前記他車両の車両情報を送信し、第１の通信装置が通信可能でない場合は第２の通信装置にて他車両の車両情報を送信するようにしてもよい。このようにすることによって、第２の通信装置にて他車両の車両情報を受信した場合のみ他車両の車両情報を送信するようにすることができる。
【００１０】
また、請求項４に記載のように、通信制御手段は、遠隔操作信号を受信した場合に、第１の通信装置による通信が可能か否かを確認し、第１の通信装置が通信可能である場合は第１の通信装置で自車両の車両情報を送信し、第１の通信装置が通信可能でない場合は第２の通信装置にて自車両の車両情報を送信するようにしてもよい。このようにすることによって、対象車両は、外部局に対して、遠隔操作信号を受信できたか否かを通知することができる。
【００１１】
また、請求項５に記載のように、自車両の異常を検出する異常検出装置を備え、指示手段は異常検出装置にて自車両の異常が検出された場合に自車両の車両情報の送信を指示し、通信制御手段は自車両の車両情報に異常検出装置の検出内容を加えて送信するようにしてもよい。
【００１２】
このようにすることによって、車両は自車両に異常が発生していることを速やかに外部局に通知することができる。
【００１３】
特に、自車両の盗難や事故の場合は、確実に外部局に車両情報を送信したいものである。従って、請求項６に示すように、異常検出装置を自車両の盗難を検出する盗難検出装置に適用すると好ましい。
【００１４】
また、請求項７に記載のように、遠隔操作信号は、車両における動力装置の駆動禁止、駆動許可を制御する信号としてもよい。
【００１５】
また、請求項８に記載のように、複数の車両の各々は、自車両の現在位置を検出する自車位置センサ、少なくとも自車両の周辺を撮影するカメラ、現在時刻を計時する時計の少なくとも一つを備え、通信制御手段はＩＤコードに加えて、自車位置センサによって検出された現在位置、カメラによって撮影された画像情報、時計によって計時された現在時刻の少なくとも一つを含む車両情報を送信するようにしてもよい。このようにすることによって、車両の現状を外部局に伝えることができる。
【００１６】
また、請求項９に記載のように、車両情報は自車両の現在位置情報と前記ＩＤコードとを含み、通信制御装置は所定タイミング毎に車両情報を第１の通信装置にて送信するようにしてもよい。
【００１７】
このようにすることによって、外部局は車両の現在位置を把握することができ、車両の盗難の届出があったときなどに活用することが可能となる。
【００１８】
また、請求項１０に記載のように、外部局は、遠隔操作信号を対象車両に対して送信した後に、該対象車両から送信される車両情報を受信できなかった場合、遠隔操作信号を対象車両とは異なる他車両に対して送信するようにしてもよい。このようにすることによって、対象車両が第１の通信装置で遠隔操作信号を受信できない場合であっても、外部局は、対象車両の周辺の車両を経由して遠隔操作信号を対象車両に送信することができるようになる。よって、外部局と対象車両とは確実に通信を行うことができる。
【００１９】
また、請求項１１に記載のように、外部局は、車両のユーザーからの通報があった場合に、遠隔操作信号を送信するようにしてもよい。このようにすることによって、車両のユーザーからの通報があった場合のみ遠隔操作信号を送信するようにすることができる。
【００２０】
また、請求項１２に記載のように、外部局は、遠隔操作信号を対象車両に対して送信した後に、該対象車両から送信される車両情報を受信できなかった場合、対象車両が過去に送信してきた現在位置情報の履歴に基づいて遠隔制御信号を送信すべき他車両を特定し、遠隔操作信号を対象車両とは異なる他車両に対して送信するようにしてもよい。このようにすることによって、外部局は、対象車両の周辺の車両を正確に特定することができる。
【発明を実施するための最良の形態】
【００２１】
（実施の形態）
以下、本発明の実施の形態を図に基づいて説明する。
【００２２】
本実施の形態は、本発明の車両通信システムを盗難防止システムに適用した例を用いて説明する。図１は、本発明の実施の形態における盗難防止システムの概略構成を示すブロック図である。なお、本発明の実施の形態は、以下の実施例に何ら限定されることはなく、本発明の技術的範囲に属する限り種々の形態を採り得ることは言うまでもない。
【００２３】
本実施の形態の盗難防止システムは、図１に示すように、盗難検出装置１５などを備えた車両１０，２０と、この車両（電話装置１８，２８）と通信を行うセンター１００によって構成されている。なお、ユーザーは、本システムの利用に関して予めセンター１００にユーザー登録をしておく。このユーザーの車両には、ユーザー登録の際にユーザーの車両を特定するためのＩＤコードが与えられ、その車両からは、このＩＤコードを含む信号が送信される。センター１００は、ユーザーの車両から送信される信号を受信すると、この信号に含まれるＩＤコードと予め登録されたＩＤコードを照合し、送信元の車両を特定する。
【００２４】
まず、車両１０および車両２０に関して説明する。なお、車両１０および車両２０の構成は同一となっている。また、車両１０、２０以外にも、本システムを利用する複数の車両についても同一の構成のものが搭載されている。
【００２５】
車両１０および車両２０は、それぞれ、制御装置１１，２１、メモリ（ＩＤコード記憶装置）１１ａ，２１ａ、スマートＥＣＵ１２，２２、イモビＥＣＵ１３，２３、自車位置センサ１４，２４、盗難検出装置（異常検出装置）１５，２５、カメラ１６，２６、エンジンＥＣＵ１７，２７、電話装置（第１の通信装置）１８，２８、車車間通信装置（第２の通信装置）１９，２９などを備える。なお、車両１０および車両２０の構成は同一となっているため、以下の構成に関する説明においては、車両１０のみについて説明する。
【００２６】
制御装置（通信制御手段）１１は、マイクロコンピュータを主体として構成されるもので、メモリ１１ａ、時計、ＣＰＵ、ＲＯＭ、ＲＡＭ等を有している。ＣＰＵは、ＲＯＭに記録されたプログラムを読み出して実行することによって作動する。またＣＰＵは、この作動の必要に応じてＲＡＭに対して情報の読み出し及び書き込みを行う。またＣＰＵは、後ほど説明するスマートＥＣＵ１２、イモビＥＣＵ１３、自車位置センサ１４、盗難検出装置１５、カメラ１６、エンジンＥＣＵ１７、電話装置１８、車車間通信装置１９等と各種信号のやりとりを行うようになっている。また、メモリ１１ａは、ＥＥＰＲＯＭなどの記憶媒体からなるものであり、上述の車両を特定するためのＩＤコードなどが記憶されている。
【００２７】
そして、制御装置１１は、所定時間毎に自車位置センサ１４が検出した自車両１０の現在の位置座標（以下、現在位置とも称する）を示す現在位置信号とＩＤコードとを電話装置１８を用いてセンター１００に送信する。また、制御装置１１は、盗難検出装置１５からの盗難信号に基づいて、自車両１０が盗難されたことを示す信号と共に、自車両１０の車両情報（ＩＤコードと、現在位置、画像情報、現在時刻の少なくとも一つなど）を示す信号を電話装置１８、もしくは車車間通信装置１９を用いて送信する。
【００２８】
スマートＥＣＵ１２は、所謂スマートエントリー、スマートイグニッションシステムの制御装置であり、マイクロコンピュータを主体として構成されるもので、ＲＯＭ、ＲＡＭ、ＥＥＰＲＯＭなどのメモリやインターフェース回路あるいはデータ転送用のバスラインなどを備える。このスマートＥＣＵ１２は、ユーザーが携帯可能な携帯機との間で無線通信を行い、携帯機から送信された認証コードとスマートＥＣＵ１２のメモリに記憶されている認証コードとを自動的に照合し、この認証コード同士が所定の対応関係（照合ＯＫ）であることを必要条件として、車両ドアのロック／アンロックなどを行うものである。一方、スマートＥＣＵ１２は、携帯機から送信された認証コードとスマートＥＣＵ１２のメモリに記憶されている認証コードとが所定の対応関係を満たさない（照合ＮＧ）場合は、車両ドアのロック／アンロックなどを行わないものである。また、スマートＥＣＵ１２は、車両ドアのロック／アンロックを示すロック／アンロック信号を制御装置１１に出力する。
【００２９】
イモビＥＣＵ１３は、マイクロコンピュータを主体として構成されるもので、ＲＯＭ、ＲＡＭ、ＥＥＰＲＯＭなどのメモリやインターフェース回路あるいはデータ転送用のバスラインなどを備える。このイモビＥＣＵ１３は、スマートＥＣＵ１２による認証コードの照合結果、及び後ほど説明するセンター１００から送信されるリモート信号（制御信号、リモートセット信号・リモートアンセット信号）に基づいて、エンジンＥＣＵ１７に対してエンジン（図示せず）の駆動禁止・駆動許可を示す駆動信号を出力する。詳細は後述するが、制御装置１１は、自車宛のリモート信号を受信すると、車両情報を作成しセンター１００に送信するようになっている。
【００３０】
エンジンＥＣＵ１７は、マイクロコンピュータを主体として構成されるもので、ＲＯＭ、ＲＡＭ、ＥＥＰＲＯＭなどのメモリやインターフェース回路あるいはデータ転送用のバスラインなどを備える。エンジンＥＣＵ１７は、イモビＥＣＵ１３がイモビ機能をアンセットしている場合（エンジンの駆動許可を示す駆動信号が出力された場合、すなわちスマートＥＣＵ１２による認証コードの照合結果が照合ＯＫである場合、及びリモートアンセット信号を受信した場合）のみ、図示しないイグニッションスイッチからの始動信号に基づいて、スターターモータ、燃料噴射装置、点火装置の動作を開始させる。これにより、スターターモータが回転しつつエンジンに燃料が噴射され点火プラグが点火することによってエンジンを始動する（駆動許可とする）。
【００３１】
また、エンジンＥＣＵ１７は、イモビＥＣＵ１３がイモビ機能をセットしている場合（エンジンの駆動禁止を示す駆動信号が出力された場合、すなわちスマートＥＣＵ１２による認証コードの照合結果が照合ＮＧである場合、及びリモートセット信号を受信した場合）は、スターターモータ、燃料噴射装置、点火装置のうち少なくとも１つの動作を開始させない。つまり、エンジンＥＣＵ１７は、エンジンを始動させない（駆動禁止とする）。
【００３２】
自車位置センサ１４は、自車両の現在位置を検出するための装置として、例えばＧＰＳ（Global Positioning System）受信機、ジャイロスコープ、距離センサ、地磁気センサ
などの各種センサを備える。検出した現在位置は、制御装置１１に入力される。なお、これらのセンサは、それぞれが性質の異なる検出誤差を有するので、互いに検出誤差を補完しながら精度の高い位置検出を行うようになっている。また、要求される検出精度のレベルによっては、全てのセンサを備える必要はなく、必要なものを適宜選択して設ける構成とすることができる。
【００３３】
盗難検出装置１５は、車両１０の盗難行為を検出するものであり、侵入センサ、振動センサ、傾斜センサ、ガラス割れセンサなどを備える。侵入センサは、車内に向けられた超音波センサや電波センサを有し、この超音波センサや電波センサによって車両の内部に侵入する者を検出する。振動センサは、加速度センサを有し、この加速度センサによって車両の振動を検出する。傾斜センサは、傾斜角度センサからなり、この傾斜角度センサによって車両の姿勢が急激に変化した、すなわち急激に傾斜したことを検出する。ガラス割れセンサは、車両のガラスに埋め込まれた導線が断線することを検知する装置を有し、この装置によってガラスが割れたことを検出する。盗難検出装置１５（侵入センサ、振動センサ、傾斜センサ、ガラス割れセンサ）は、制御装置１１からの制御信号に基づいて作動（検出）を開始し、車両１０の盗難行為を検出すると、検出したことを示す盗難信号を制御装置１１に通知するようになっている。また、要求される検出精度のレベルによっては、全てのセンサを備える必要はなく、必要なものを適宜選択して設ける構成とすることができる。
【００３４】
カメラ１６は、車両前方、車両側方、車両後方の車両周辺の画像を撮影する前方カメラ、側方カメラ、後方カメラ、及び、車室内の全方位および窓から見える車両周辺の画像を撮影する全方位カメラなどを備える。カメラ１６は、制御装置１１からの制御信号に基づいて作動（撮影）し、撮影した画像情報を示す画像信号を制御装置１１に出力するようになっている。
【００３５】
なお、車両１０の周囲環境は、夜間や高架下など車両１０の周辺が暗い場合もありうる。したがって、制御装置１１は、カメラ１６に対して撮影の開始を示す制御信号を出力する際に、車室内のライトに対して点灯を示す制御信号を出力し、車室内のライトを点灯するようにしてもよい。また、撮影専用ライト（ストロボ）を設けてもよい。この場合、制御装置１１は、カメラ１６に対して撮影の開始を示す制御信号を出力する際に、撮影専用ライトに対して点灯を示す制御信号を出力し、撮影専用ライトを点灯するようにしてもよい。
【００３６】
電話装置１８は、基地局などを含む電話網（通信基幹施設）を介して無線通信（データ通信、音声通信）を行う車載データ通信モジュール（Data Communication Module：DCM）や、携帯電話機などである。車車間通信装置１９は、電話網を介さずに、車両間で直接通信が可能である、すなわち限られた区域内で利用することができる無償の無線周波数帯域で通信（データ通信）を行う近距離無線方式であるブルートゥース(Bluetooth)モデムや
、赤外線通信装置などである。
【００３７】
次に、センター１００に関して説明する。センター１００は、マイクロコンピュータを主体として構成されるもので、ＲＯＭ、ＲＡＭ、ＥＥＰＲＯＭなどのメモリやインターフェース回路あるいはデータ転送用のバスライン、電話装置１８や携帯電話等と電話網を介して通信を行うセンター側電話装置（外部局側通信装置）、多数の車両から送信される車両情報（ＩＤコード、現在位置など）を管理しているデーターベースを記憶するハードディスクなどからなる記憶装置などを備える。そして、センター１００は、車両１０から自車両１０が盗難されたことを示す信号と共に、自車両１０の車両情報（ＩＤコード、現在位置、画像情報、現在時刻など）を示す信号を受信すると、警察署、警備会社、あるいは車両１０のユーザー等の予め登録されている場所に車両の盗難行為が発生した旨を通報する。
【００３８】
また、本実施の形態における盗難防止システムにおいては、車両のユーザーは、車両が盗まれてしまった場合、携帯電話などを使用してセンター１００と通信を行い、盗難を届け出る。この盗難の届けを受領したセンター１００は、リモートセット信号を車両に対して送信する。
【００３９】
また、盗まれた車両が発見された場合、車両のユーザーは、携帯電話などを使用してセンター１００に対して盗難車の発見を届け出る。この盗難車の発見の届けを受領したセンター１００は、リモートアンセット信号を車両に対して送信する。
【００４０】
ここで、本実施の形態における盗難防止システムの動作について説明する。図２は、本発明の実施の形態における制御装置の処理動作を示すフローチャートである。
【００４１】
制御装置１１は、車両１０のイグニッションスイッチがオンの状態であるとき、盗難検出装置１５での検出、及びカメラ１６での撮影を停止している。制御装置１１は、この状態から、イグニッションスイッチがオフになり、かつスマートＥＣＵ１２が車両１０の全ドアをロックし、そのロックを示すロック信号を出力すると、図２に示すフローをスタートする。また、制御装置１１は、エンジンオフから所定時間（ドアを開けて、降車して、ドアを閉めるのに要する程度の時間）が経過した後に、図２に示すフローをスタートするようにしてもよい。
【００４２】
まず、ステップＳ１０では、制御装置１１は、盗難検出装置１５（侵入センサ、振動センサ、傾斜センサ、ガラス割れセンサ）に対して、検出開始を示す制御信号を出力する。これによって、盗難検出装置１５は、侵入センサ、振動センサ、傾斜センサ、ガラス割れセンサが動作し、車両１０の盗難行為の検出を開始する。
【００４３】
ステップＳ１１では、制御装置１１は、盗難検出装置１５からの盗難信号が有るかいなかを判定し、盗難信号有りと判定した場合はステップＳ１２へ進み、盗難信号なしと判定した場合はステップＳ１７へ進む。
【００４４】
ステップＳ１２では、制御装置１１は、車両情報を作成する。ここで、制御装置１１は、車両情報に盗難現場の写真を含ませるために、カメラ１６に対して撮影の開始を示す制御信号を出力する。そして、制御装置１１は、このカメラ１６が撮影した画像情報を示す画像信号に加えて、メモリ１１ａに記憶されている車両を特定するためのＩＤコード、自車位置センサ１４が検出した自車両１０の現在位置を示す現在位置信号、時計が計時している現在時刻信号などを含む車両情報を作成する。
【００４５】
ステップＳ１３では、制御装置１１は、電話装置１８による通信が可能であるか否かを確認する。車両１０が盗難された場合、電話装置１８が破壊されて通信ができないことや、車両１０が電話網の通信圏外にあり通信できないこともありうる。したがって、ステップＳ１３での処理は、車両１０の盗難をセンター１００に対して通報できるか否かを確認するために行うものである。
【００４６】
ステップＳ１４では、制御装置１１は、ステップＳ１３での処理に基づいて、電話装置１８での通信が可能であるか否かを判定し、電話装置１８での通信が可能であると判定した場合はステップＳ１６へ進み、電話装置１８での通信が可能でないと判定した場合はステップＳ１５へ進む。
【００４７】
ステップＳ１６では、制御装置１１は、電話装置１８を用いてステップＳ１２で作成した車両情報をセンター１００に対して送信する。
【００４８】
一方、制御装置１１は、電話装置１８での通信が可能でない場合、ステップＳ１５において、車車間通信装置１９を用いてステップＳ１２で作成した車両情報を送信する。車車間通信装置１９は、限られた区域内でのみ通信を行うものである。したがって、車車間通信装置１９を用いて車両情報を送信する場合、制御装置１１は、自車両１０（車両情報を送信した車両１０）の周辺に存在する車両（例えば、車両２０）に対して車両情報を送信することとなる。そして、この車両情報を受信した車両２０は、電話装置１８を用いて自動的に受信した車両情報をセンター１００に対して送信する。なお、車両情報を受信した車両２０の処理動作に関しては、後ほど詳しく説明する。また、この車両情報を受信したセンター１００は、警察、警備会社、あるいは車両１０（車両情報を送信した車両）のユーザー等の予め登録されている場所に車両の盗難行為が発生した旨を通報する。
【００４９】
ステップＳ１７では、制御装置１１は、スマートＥＣＵ１２が照合ＯＫで車両１０の一部のドアをアンロックしたか否かによって盗難検出装置１５の動作を解除するか否かを判定する。そして、制御装置１１は、盗難検出装置１５の動作を解除すると判定した場合は処理を終了し、盗難検出装置１５の動作を解除すると判定しない場合はステップＳ１０へ戻る。
【００５０】
次に、図３を用いて、図２におけるステップＳ１５にて送信された車両情報を受信した車両（ここでは、車両２０）の処理動作について説明する。図３は、本発明の実施の形態における車両情報を受信した車両の制御装置の処理動作を示すフローチャートである。なお、制御装置２１は、電源が供給されている間、図３に示すフローを実行する。
【００５１】
ステップＳ１００では、制御回路２１は、車車間通信装置２９にて車両情報を受信したか否かを判定し、車車間通信装置２９にて車両情報を受信したと判定した場合はステップＳ１１０へ進み、車車間通信装置２９にて車両情報を受信していないと判定した場合はステップＳ１００での判定を繰り返す。
【００５２】
ステップＳ１１０では、制御装置２１は、電話装置２８による通信が可能であるか否かを確認する。車両２０は、電話装置２８が故障していて通信ができないことや、車両２０が電話網の通信圏外にあり通信できないこともありうる。したがって、ステップＳ１１０での処理は、車両１０から車両情報を送信された、すなわち車両１０からセンター１００への通報を託された車両２０がセンター１００に対して通報できるか否かを確認するために行うものである。
【００５３】
ステップＳ１２０では、制御装置２１は、ステップＳ１１０での処理に基づいて、電話装置２８での通信が可能であるか否かを判定し、電話装置２８での通信が可能であると判定した場合はステップＳ１４０へ進み、電話装置２８での通信が可能でないと判定した場合はステップＳ１３０へ進む。
【００５４】
ステップＳ１４０では、制御装置２１は、電話装置２８を用いて車車間通信装置２９にて受信した車両情報をセンター１００に対して送信する。
【００５５】
一方、制御装置２１は、電話装置２８での通信が可能でない場合、ステップＳ１３０において、車車間通信装置２９にて受信した車両情報を車車間通信装置２９を用いて送信する。車車間通信装置２９は、限られた区域内でのみ通信を行うものである。したがって、車車間通信装置２９を用いて車両情報を送信する場合、制御装置２１は、自車両２０の周辺に存在する車両に対して車両情報を送信することとなる。すなわち、車両１０が送信した車両情報は、センター１００が受信するまで、本システムを利用する複数の車両間での車車間通信装置で送信されることとなる。このようにして、車両１０は、センター１００と通信できない場合であっても、車車間通信装置を用いて、センター１００との通信を本システムを利用する他車両に託すことができる。
【００５６】
次に、図４乃至図６に示すフローチャートを参照して、センター１００と車両とのリモート信号の送受信動作を説明する。図４は、本発明の実施の形態におけるセンターのリモート信号の送信処理動作を示すフローチャートである。図５は、本発明の実施の形態における制御装置のリモート信号の送受信処理動作を示すフローチャートである。図６は、本発明の実施の形態におけるリモート信号受信対象である車両の制御装置の処理動作を示すフローチャートである。以下、盗難車（対象車両）を車両１０、この対象車両（車両１０）の周辺車両を車両２０として説明する。
【００５７】
センター１００は、ユーザーから盗難の届け、もしくは盗難車の発見の届けを受領すると、図４に示すフローをスタートする。また、制御装置２１は、電源が供給されている間、図５に示すフローを実行する。さらに、制御装置１１は、電源が供給されている間、図６に示すフローを実行する。
【００５８】
図４のステップＳ２０では、センター１００は、車両ユーザーからの盗難の届け、もしくは盗難者の発見の届けに基づいて、リモート信号（リモートセット信号若しくはリモートアンセット信号、対象車両のＩＤコード）を対象車両に送信する。すなわち、センター１００は、車両のユーザーから盗難の届けがあった場合は、リモートセット信号と対象車両のＩＤコードを対象車両に対して送信する。また、センター１００は、車両のユーザーから盗難車の発見の届けがあった場合は、リモートアンセット信号と対象車両のＩＤコードを対象車両に対して送信する。
【００５９】
そして図４のステップＳ２１では、センター１００は、車両１０との通信が成功したか否か、すなわち車両１０がリモート信号を受信したか否かを判定し、通信が成功したと判定した場合は処理を終了し、通信が成立してないと判定した場合はステップＳ２２へ進む。上述のように、車両１０が盗難された場合、電話装置１８が破壊されて通信ができないことや、車両１０が電話網の通信圏外にあり通信できないこともありうる。したがって、ステップＳ２１での処理は、リモート信号を車両１０に対して送信できるか否かを確認するために行うものである。なお、詳細は図６にて後述するが、車両１０は自車両宛のリモート信号を受信すると、車両情報をセンター１００へ送信することになっており、センター１００はリモート信号送信後に送信対象となっている車両から車両情報が送信されてきたか否かを判断することによって、通信が成功したか否かを判定する。
【００６０】
図４のステップＳ２２では、センター１００は、データーベースを用いて、車両１０が送信してきた最も新しい現在位置に近い周辺車両（車両２０）に対して、リモート信号と対象車両のＩＤコードを送信する。あるいは、センター１００は、対象車両１０が過去に送信してきた現在位置情報の履歴に基づいて対象車両１０の走行路を推測し、推測した走行路付近に存在する車両（車両２０）に対して、リモート信号と対象車両のＩＤコードを送信する。このようにリモート信号を送信することにより、対象車両１０付近に存在する可能性が高い車両に対してのみリモート信号を送信することが可能となる。
【００６１】
一方、車両２０の制御装置２１は、図５のステップＳ３０において、センター１００が送信したリモート信号を受信したか否かを判定し、リモート信号を受信したと判定した場合はステップＳ３１へ進み、リモート信号を受信していないと判定した場合はステップＳ３０での判定を繰り返す。
【００６２】
図５に示すステップＳ３１では、車両２０の制御装置２１は、受信したリモート信号を車車間通信装置２９を用いて車両１０に対して送信する。なお、ここでは、受信したリモート信号は、他車両宛であることを前提に説明している。しかし、リモート信号は、自車両宛のものと、他車両宛のものとがあるの。したがって、制御装置２１は、受信したリモート信号に含まれるＩＤコードがメモリ２１ａに記憶されたＩＤコードと一致するか否かを判定し、一致すると判定した場合は自車両宛のリモート信号とみなし、一致しない判定した場合は他車両宛のリモート信号とみなす。車車間通信装置２９を用いてリモート信号を送信する場合、制御装置２１は、自車両２０の周辺に存在する車両１０に対してリモート信号を送信することとなる。すなわち、センター１００が送信したリモート信号は、車両２０の周辺に存在する車両１０が受信するまで、本システムを利用する複数の車両間での車車間通信装置で送信されることとなる。このようにして、車両１０は、センター１００と通信できない場合であっても、車車間通信装置を用いて、センター１００との通信を本システムを利用する他車両に託すことができる。
【００６３】
そして、リモート信号の受信対象（つまり、盗難車）である車両１０は、図６に示すように動作する。図６に示すステップＳ４０では、制御装置１１は、図２のステップＳ１３と同様に、電話装置１８による通信が可能であるか否かを確認する。ステップＳ４１では、制御装置１１は、図２のステップＳ１４と同様に、ステップＳ１３での処理に基づいて、電話装置１８での通信が可能であるか否かを判定し、電話装置１８での通信が可能であると判定した場合はステップＳ４３へ進み、電話装置１８での通信が可能でないと判定した場合はステップＳ４２へ進む。
【００６４】
ステップＳ４３では、制御装置１１は、センター１００から送信されて来るリモート信号を電話装置１８を用いて受信する。一方、制御装置１１は、電話装置１８での通信が可能でない場合、ステップＳ４２において、車両２０から送信されて来るリモート信号を車車間通信装置１９を用いて受信する。
【００６５】
ステップＳ４４では、制御装置１１は、リモート信号に含まれるＩＤコードがメモリ１１ａに記憶されたＩＤコードと一致するか否かを判断し、一致していればステップＳ４５へ進む。一方、ＩＤコードが一致していなければ処理を終了する。なお、ここでは、車両１０は、盗難車であることを前提としているため、リモート信号に含まれるＩＤコードが一致していない場合は処理を終了するように説明を省略している。しかし、本システムを適用する車両は、ステップＳ４４にてＩＤコードが一致していない場合は、図５に示すように車車間通信装置にてリモート信号を送信するものである。また、同様な理由によって説明を省略しているが、図５に示すフローにおいても、上述のように受信したリモート信号に含まれるＩＤコードがメモリ２１ａに記憶されたＩＤコードと一致するか否かを判定し、受信したリモート信号に含まれるＩＤコードがメモリ２１ａに記憶されたＩＤコードと一致していた場合（つまり、自車両宛のリモート信号を受信した場合）は、図６に示すステップＳ４５乃至ステップＳ５０の処理を実行するものである。
【００６６】
ステップＳ４５では、制御装置１１は、受信したリモート信号に応じた制御を行う。例えば、リモート信号がリモートセット信号であった場合には、スターターモータ、燃料噴射装置、点火装置のうち少なくとも１つの動作を開始させないようにする。ステップＳ４６では、図２のステップＳ１２と同様に、車両情報を作成する。
【００６７】
ステップＳ４７〜Ｓ５０では、制御装置１１は、図２のステップＳ１３〜Ｓ１６と同様の制御を実行し、車両情報を送信する。車両情報を送信した後は処理を終了する。
【００６８】
要するに、本発明の実施の形態の盗難防止システムは、電話装置１８での通信が可能でない場合は、電話装置１８の代替手段として車車間通信装置１９と周辺の車両を用いるものである。
【００６９】
このように、電話装置と車車間通信装置を切り替えて通信を行い、周辺車両を用いることによって、車両の電話装置が破壊されて通信ができなかったり、車両が電話網の通信圏外にあり通信できなかったりした場合であっても、確実にセンターと車両との通信を行い、車両１０はセンター１００から送信されるリモート信号を受信することができる。
【００７０】
また、車両１０が自車両宛のリモート信号を受信すると、制御装置１１は、画像信号、車両を特定するためのＩＤコード、現在位置信号、現在時刻信号などを含む車両情報を作成する。そして、電話装置と車車間通信装置を切り替えて通信を行い、周辺車両を用いることによって、車両の電話装置が破壊されて通信ができなかったり、車両が電話網の通信圏外にあり通信できなかったりした場合であっても、確実にセンターと車両との通信を行い、車両１０は車両情報をセンター１００に送信することができる。
【００７１】
センター１００は、車両１０へのリモート信号送信後に該車両１０から送信される車両情報を受信することによって、以下を行うことができる。すなわち、車両を特定するためのＩＤコードに基づいて、車両１０がリモート信号を受信したことを確認することができる。また、画像信号に基づいて、車両１０内の搭乗者や車室内外の状況を把握することができる。現在位置信号及び現在時刻信号に基づいて、車両１０の現在位置を把握し、さらに車両１０の走行路を推測することができる。従って、センター１００は、このような情報を活用することで、盗難車両や盗難者を容易に発見することができるようになる。
【図面の簡単な説明】
【００７２】
【図１】本発明の実施の形態における盗難防止システムの概略構成を示すブロック図である。
【図２】本発明の実施の形態における制御装置の処理動作を示すフローチャートである。
【図３】本発明の実施の形態における車両情報を受信した車両の制御装置の処理動作を示すフローチャートである。
【図４】本発明の実施の形態におけるセンターのリモート信号の送信処理動作を示すフローチャートである。
【図５】本発明の実施の形態における制御装置のリモート信号の送受信処理動作を示すフローチャートである。
【図６】本発明の実施の形態におけるリモート信号の受信対象である車両の制御装置の処理動作を示すフローチャートである。
【符号の説明】
【００７３】
１０，２０  車両、１１，２１  制御装置、１１ａ，２１ａ  メモリ、１２，２２  スマートＥＣＵ、１３，２３  イモビＥＣＵ、１４，２４  自車位置センサ、１５，２５  盗難検出装置、１６，２６  カメラ、１７，２７  エンジンＥＣＵ、１８，２８  電話装置、１９，２９  車車間通信装置、１００  センター
【図１】
2008037414.tif 000003
【図２】
2008037414.tif 000004
【図３】
2008037414.tif 000005
【図４】
2008037414.tif 000006
【図５】
2008037414.tif 000007
【図６】
2008037414.tif 000008